(57)【要約】      （修正有）【課題】２組の独立した施錠及びキーにより、安全性を向上したスーツケースの二重旋錠装置を提供する。【解決手段】スーツケース本体のハンドル側の掛け金条片３５の掛け金片３６とスーツケース蓋に設けたロック片との係合により施錠する施錠装置において、活動部品３２底面の制動ブロック３３により掛け金条片３５の第一制動片３５を介して掛け金片３６を押し下げてロック片に係合させて施錠状態とし、カード型キーを活動部品３２に挿入して左右にスライドさせることにより、制動ブロック３３の押し下げ状態から開放して、開錠し、また、キーを第二施錠ユニット４０に挿入して回すことにより、その底面の回転カム４１を回転させてこれに当接する掛け金条片３５の第二制動片を介して掛け金片３６を押し下げて、開錠する。【選択図】図２
0003178093.tif 000002
【実用新案登録請求の範囲】
【請求項１】
スーツケースの二重施錠装置において、
スーツケース本体のハンドル側に施錠装置を収納する細長状の内部の底フレーム及び外部に外フレームを設置すると共に、スーツケース蓋には該底フレームに対応してロック片を設け、
該底フレーム及び外フレーム内にはカードキー挿入スリットを備えた内蓋を設置して、カードキーに対応する第一施錠ユニット及びキーに対応する第二施錠ユニットを設置し、
第一施錠ユニットは、カードキーを挿入して左右にスライドする滑動部品を設置すると共に該滑動部品の底部には制動ブロックを備え、その一端側にはキーに対応する第二施錠ユニットを組み合わせると共に第二施錠ユニットにはキーを挿入して操作することにより回転する回転カムを備え、
また第一施錠ユニット下方には掛け金条片を設置し、該掛け金条片は上記滑動部品の制動ブロックに相対する第一制動片、第二施錠ユニットの回転カムに相対する第二制動片、及びスーツケースの蓋側のロック片に掛合して施錠する掛け金片を備え、
上記掛け金条片の第一制動片は下方からバネで上方に押圧されると共に滑動部品の制動ブロックにバネの押圧力に抗して押し下げられて掛け金片をスーツケースの蓋側のロック片に掛合し、
カードキーを第一施錠ユニットの滑動部品に挿入して左右に動かすことによりその制動ブロックが掛け金条片の第一制動片を押し下げる位置とその位置から外れて開放する位置に移動して、掛け金片とスーツケースの蓋側のロック片との掛合による施錠、開錠を行い、
また、キーによって第二施錠ユニットの回転カムを回転操作することにより、回転カムに相対する第二制動片を押し下げて掛け金片を傾斜回転させることにより、掛け金片とスーツケースの蓋側のロック片との掛合による施錠、開錠を行う
ことを特徴とするスーツケースの二重施錠装置。
【考案の詳細な説明】
【技術分野】
【０００１】
本考案は、スーツケースの二重施錠装置に関するもので、スーツケースに二重の施錠手段を備え、カードキー、キーで施錠及び施錠解除を行い、更に実用性を向上する。
【背景技術】
【０００２】
公知の技術は、スーツケースと一体成型の施錠装置であるが、すべては「単一」のキーによる施錠手段が設置され、スーツケース本体に施錠装置を設置し、キーで施錠、施錠解除を行う。
【先行技術文献】
【特許文献】
【０００３】
【特許文献１】特開２００２−８９１１０号公報
【考案の概要】
【考案が解決しようとする課題】
【０００４】
解決しようとする問題点は、以下の二点である。一つ目は１個の鍵施錠装置で施錠するため、二重の各自異なる施錠手段で施錠することができない点である。二つ目は今日、空港の税関職員がスーツケース内の物品を検査する場合、通常スーツケース本体を開けて目視で調べるが、開けるためのキーがないと、スーツケース本体を壊さなければならなくなり、スーツケース本体の物品が散らばって喪失する可能性が高まる点である。
【課題を解決するための手段】
【０００５】
本考案は、底フレーム、外フレーム内に固定台及び定位台を設置し、固定台、定位台内に第一、二施錠ユニットを設置する。第一施錠ユニットは滑動部品、第一施錠台を備えて設置し、第一施錠台の下方に滑動する掛け金条片を設置し、第一施錠台の一端は第二施錠台を連設し、第二施錠ユニットを組み合わせる。  上述の機構によって、カードキーで第一施錠ユニットの掛け金条片の掛け金片を操作してスーツケース本体のロック片を施錠したり、施錠解除したりする。またキーを使い、第二施錠ユニットで掛け金条片を操作して施錠、開錠することにより、スーツケースを二個のキーで施錠、施錠解除する効果を達成することを最も主要な特徴とする。
【考案の効果】
【０００６】
本考案のスーツケースの二重施錠装置は、二種の施錠機構及び二個のキーで各自施錠、施錠解除することにより、実用性が極めて高いという利点がある。
【図面の簡単な説明】
【０００７】
【図１】本考案のスーツケース本体組立の立体外観図である。
【図２】本考案の立体分解図である。
【図３】本考案のカードキーによる施錠解除状態断面図である。
【図４】本考案のカードきーによる施錠状態断面図である。
【図５】本考案のキーで施錠解除した状態断面図である。
【考案を実施するための形態】
【０００８】
本考案は、上述公知製品の欠点を改善し、スーツケース本体に二種の施錠装置を設置する。
スーツケース本体のハンドル側に底フレーム、外フレームを設置する。底、外フレームは第一、二施錠ユニットを組み立て、カードキーに対応する第一施錠ユニットは第一施錠台、滑動部品から構成して設置し、キーに対応する第二施錠ユニットは第一施錠台の一端に組み立てて設置する。第一、二施錠ユニットの下方には掛け金条片を設置し、カードキーで第一施錠ユニット動作を制御し、掛け金条片で施錠、施錠解除を行う。また、キーで第二施錠ユニット動作を制御して掛け金条片で施錠、施錠解除を行う。拠って、本考案は二種ロック及び二個のキーで各自施錠、施錠解除することにより、実用性が極めて高い。
【実施例】
【０００９】
図１、２、３、４、５に示すとおり、スーツケース本体１０は細長状の底フレーム２４、外フレーム２５を設置し、スーツケース蓋１１には底フレーム２４に対応するロック片１２を備え、底フレーム２４、外フレーム２５内には定位台２１、固定台２０及びカードキー挿入スリット２３を備えた内蓋２２を設置する。
定位台２１、固定台２０内にはカードキーに対応する第一施錠ユニット３０、キーに対応する第二施錠ユニット４０を設置する。第一施錠ユニット３０は、第一施錠台３１、挿入されたカードキーと共に左右にスライドする滑動部品３２を備え、滑動部品３２底部には制動ブロック３３を備え、第一施錠台３１の一端にはキーに対応する第二施錠台３９を設置してキー挿入孔を具えた第二施錠ユニット４０を組み合わせる。第二施錠ユニット４０は回転カム４１を備え、また第一、二施錠台３１、３９の下方には掛け金条片３４を設置し、掛け金条片３４はカードキーにより操作される第一制動片３５及びキーにより操作される第二制動片３７を備え、これらのキー操作により掛け金片３６をスーツケース蓋側のロック片１２との掛合を開放又は掛合する。
第一制動片３５は上方の滑動部品３２の制動ブロック３３に相対して、そのスライド移動により押し下げ、或いは開放される。第一制動片３５下方にはバネ３８を設置して上方に作用させ、第二制動片３７上方には第二施錠ユニット４０の回転カム４１が相対して配置される。
【００１０】
上述の構造、装置の作用、効果の詳細な説明は以下のとおりである。図３に示すとおり、カードキー１４を内蓋２２のスリットから第一施錠ユニット３０の活動部品３２に挿入して右へ動かすと、その制動ブロック３３は掛け金条片３４の第一制動片３５を押し下げ状態から外れて開放する。そのため、バネ３８の弾力で第一制動片３５、掛け金片３６を上向きに押し上げて掛け金片３６がロック片１２の掛合溝１３から外れ、「施錠解除」状態を形成する。即ち、カードキー１４で施錠解除される。
図４に示すとおり、カードキー１４を第一施錠ユニット３０の滑動部品３２に差し込み、滑動部品３２を左へ動かすと、その制動ブロック３３はその斜面から接して摺動して移動しながら掛け金条片３４の第一制動片３５を押し下げ、第一制動片３５、掛け金片３６を下向きに押し下げて掛け金片３６をロック片１２の掛合溝１３内に掛合する。即ち「施錠」状態を形成する。
即ち、カードキー１４を施錠する。
図５に示すとおり、キー１５を第二施錠ユニット４０に差し込んで回転させ、その回転カム４１が掛け金条片３４の第二制動片３７を押し下げて下向きに動かすと、掛け金条片３４が傾斜して回転させる。即ち第一制動片３５、掛け金片３６を下向きに傾斜回転させ、掛け金片３６をロック片１２から外し、「施錠解除」状態に形成する。
逆に、反方向にキー１５を第二施錠ユニット４０で回転すると、掛け金条片３４、掛け金片３６を上向きに傾斜回転させ、掛け金片３６をロック片１２内に差し込み「施錠」状態を形成する。即ち、キー１５により施錠解除、施錠を行う。
【００１１】
上述に示すとおり、本考案は、カードキー１４、キー１５の各々で施錠解除及び施錠を行う。そのため、カードキー１４、キー１５を二種に分け、その二種はどちらも独立した施錠解除、施錠を行う。本考案を「税関検査」で運用する場合、第二施錠ユニット４０のキー１５が税関職員の管制下に置かれ、税関職員がスーツケース本体内の物品を検査した時、キーを施錠解除してスーツケース本体を開け、検査後施錠するため、スーツケース本体の機能を破壊する必要がない。
【００１２】
上述のとおり、本考案の装置、構造は、確実、且つ極めて実用性が高く効果が向上することから、実用新案の新規性を具える。
【符号の説明】
【００１３】
１０        スーツケース本体
１１        スーツケース蓋
１２        ロック片
１３        掛合溝
１４        カードキー
１５        キー
２０        固定台
２１        定位台
２２        内蓋
２３        カードキー挿入スリット
２４        底フレーム
２５        外フレーム
３０        第一施錠ユニット
３１        第一施錠台
３２        滑動部品
３３        制動ブロック
３４        掛け金条片
３５        第一制動片
３６        掛け金片
３７        第二制動片
３８        バネ
３９        第二施錠台
４０        第二施錠ユニット
４１        回転カム
【図１】
0003178093.tif 000003
【図２】
0003178093.tif 000004
【図３】
0003178093.tif 000005
【図４】
0003178093.tif 000006
【図５】
0003178093.tif 000007